(57)【要約】【課題】被包装物である繊維質製品の色が褪せたり、生地が劣化したりすることを有効に防止することができる包装体を提供する。【解決手段】包装体１である。樹脂フィルムからなる袋体２と、袋体２の内部に挿入される被包装物４と、を備え、袋体２が紫外線遮断性を有するものであり、被包装物４が繊維質製品であり、被包装物４が袋体２の内部に真空包装されてなるもの。【選択図】図１
0003233070.tif 000002
【実用新案登録請求の範囲】
【請求項１】
包装体であって、
樹脂フィルムからなる袋体と、前記袋体の内部に挿入される被包装物と、を備え、
前記袋体が紫外線遮断性を有するものであり、
前記被包装物が繊維質製品であり、
前記被包装物が前記袋体の内部に真空包装されてなるもの。
【請求項２】
包装体であって、
樹脂フィルムからなる袋体と、前記袋体の内部に挿入される被包装物と、を備え、
前記被包装物が繊維質製品であり、
前記被包装物が紫外線遮断性フィルムで被包されており、
前記紫外線遮断性フィルムで被包された前記被包装物が前記袋体の内部に真空包装されてなるもの。
【請求項３】
請求項１または２に記載の包装体であって、
前記被包装物とともに脱酸素剤が前記袋体の内部に真空包装されてなるもの。
【請求項４】
請求項１または２に記載の包装体であって、
前記繊維質製品が被服であるもの。
【請求項５】
請求項１または２に記載の包装体であって、
前記繊維質製品が下着であるもの。
【請求項６】
請求項１または２に記載の包装体であって、
前記繊維質製品が女性用下着であるもの。
【請求項７】
請求項１または２に記載の包装体であって、
前記繊維質製品が使用者の肌に直接触れる衛生用品であるもの。
【請求項８】
請求項１または２に記載の包装体であって、
前記繊維質製品が吸収性物品またはマスクであるもの。
【考案の詳細な説明】
【技術分野】
【０００１】
本考案は、包装体の技術分野に属し、具体的には被服や衛生用品等の繊維質製品を包装してなる包装体に関するものである。
【背景技術】
【０００２】
近年、災害時の支援物資として、被災地に洋服や下着等を輸送することが行われている。このような場合、多数の洋服や下着をダンボール箱等に箱詰めし、輸送することが一般的であった。
【０００３】
しかし、このような輸送方法は、むき出しの洋服や下着を箱詰めするために、被災者は誰が触ったかわからない洋服や下着を身に着けることになり、心理的に抵抗感を感じる者も多い。特に女性はその傾向が強い。従って、洋服や下着等は包装して送付することが望まれている。
【０００４】
支援物資の輸送目的ではないものの、洋服を包装する技術としては、洋服を収納する袋状パックの開口部に密封手段を設けた洋服形状保持パックが提案されている（特許文献１）。
【先行技術文献】
【特許文献】
【０００５】
【特許文献１】特開２００９−  １２８２９
【考案の概要】
【考案が解決しようとする課題】
【０００６】
特許文献１に記載の洋服形状保持パックは、洋服を挿入した状態で掃除機や真空ポンプで真空引きし、洋服を真空パックすることができ、洋服を包装することが可能である。しかし、このような真空パック方式を用いても、包装した洋服の色が褪せたり、洋服の生地が傷んだりするという課題があった。
【０００７】
本考案は、前記従来技術が有する課題を解決するものである。すなわち、本考案は、包装した洋服の色が褪せたり、洋服の生地が傷んだりすることを有効に防止することができる技術を提供するものである。
【課題を解決するための手段】
【０００８】
本考案者らは、前記従来技術が有する課題を解決すべく鋭意検討を重ねた結果、包装した洋服の色が褪せたり、洋服の生地が傷んだりするのは紫外線の影響であることを見出した。そして、包装袋を紫外線遮断性の袋とし、また、被包装物を紫外線遮断性フィルムで被包することによって、前記従来技術が有する課題を解決可能であることを見出して、本考案を完成するに至った。即ち、以下に示す本考案によって前記課題は解決される。
【０００９】
本考案の包装体は、以下の構成を有する。
包装体であって、樹脂フィルムからなる袋体と、前記袋体の内部に挿入される被包装物と、を備え、前記袋体が紫外線遮断性を有するものであり、前記被包装物が繊維質製品であり、前記被包装物が前記袋体の内部に真空包装されてなるもの。
【００１０】
また、本考案の包装体は、以下の構成を有するものであってもよい。
包装体であって、樹脂フィルムからなる袋体と、前記袋体の内部に挿入される被包装物と、を備え、前記被包装物が繊維質製品であり、前記被包装物が紫外線遮断性フィルムで被包されており、前記紫外線遮断性フィルムで被包された前記被包装物が前記袋体の内部に真空包装されてなるもの。
【００１１】
本考案の包装体は、以下の構成であることが好ましい。
前記被包装物とともに脱酸素剤が前記袋体の内部に真空包装されてなるもの。
前記繊維質製品が被服であるもの。
前記繊維質製品が下着であるもの。
前記繊維質製品が女性用下着であるもの。
前記繊維質製品が使用者の肌に直接触れる衛生用品であるもの。
前記繊維質製品が吸収性物品またはマスクであるもの。
【考案の効果】
【００１２】
本考案の包装体は、被包装物である繊維質製品の色が褪せたり、生地が傷んだりすることを有効に防止することができる。
【図面の簡単な説明】
【００１３】
【図１】本考案の包装体の一の実施形態を模式的に示す斜視図である。
【考案を実施するための形態】
【００１４】
以下、図面を参照しながら、本考案を実施するための形態について具体的に説明する。ただし、本考案はその特定事項を満たす全ての実施形態を包含するものであり、以下に示す実施形態のみに限定されるものではない。
【００１５】
［１］本考案の包装体の特徴：
本考案の包装体は、図１に示す包装体１のように、
（１）被包装物４を包装する袋体２が紫外線遮断性を有するものである点；
（２）被包装物４が袋体２の内部に真空包装されてなる点；
に特徴がある。
【００１６】
前記の構成を採用することにより、
（１）被包装物である繊維質製品を紫外線から護ることができ、
（２）被包装物である繊維質製品を酸素と非接触の状態に保つことができるため、
被包装物である繊維質製品の色が褪せたり、生地が劣化したりすることを有効に防止することができる。
【００１７】
［２］本考案の包装体の構成：
図１に示す包装体１は、袋体２と被包装物４と、を備える。
【００１８】
［２−１］袋体：
袋体２は矩形状で、一辺に開口部６を有し、三辺が接合部８で閉じられた袋体である。袋体２は樹脂フィルムからなり、紫外線遮断性を有するものである。袋体２としては、例えば紫外線吸収剤を含有する樹脂フィルムからなる袋体、紫外線吸収剤でコーティングされた樹脂フィルムからなる袋体等を好適に用いることができる。このような袋体はＵＶカット袋として市販されており、そのような市販品を使用することができる。
【００１９】
また、袋体２が紫外線遮断性を有するという構成に代えて、あるいは袋体２が紫外線遮断性を有するという構成に加えて、被包装物を紫外線遮断性フィルムで被包するという構成を採用してもよい。このような構成によれば、袋体に紫外線遮断性がなくても被包装物を紫外線から護ることができる。
【００２０】
［２−２］被包装物：
被包装物４は袋体２の内部に挿入される包装の対象物であり、被包装物４は繊維質製品である。繊維質製品とは、繊維からなる織布、不織布によって構成されている製品を指し、例えば、被服や使用者の肌に直接触れる衛生用品等を挙げることができる。被服としては、洋服のみならず下着等も含まれる。また、使用者の肌に直接触れる衛生用品としては、生理用品や紙おむつ等の吸収性物品、マスク等が含まれる。被包装物４は女性用下着（ショーツ）である。
【００２１】
なお、包装体１では、被包装物４が女性用下着の例を示しているが、下着には女性用下着の他、男性用下着や乳幼児用下着も含まれる。但し、本考案の包装体は、被包装物が女性用下着である場合に特に好適に用いることができる。誰が触ったかわからないという不安感やそれを着用することへの心理的な抵抗感を減らすことができるからである。
【００２２】
［２−３］脱酸素剤：
脱酸素剤は酸素を吸収する性質を有する薬剤である。脱酸素剤を被包装物とともに封入することで、真空包装の効果（被包装物と酸素とを非接触の状態に保つ）を更に向上させることができる。脱酸素剤としては、鉄の酸化反応を利用して酸素を吸収するもの等を挙げることができる。例えば、「エージレス」（登録商標：三菱ガス化学社製）等を好適に用いることができる。
【００２３】
［２−４］真空包装：
被包装物４は袋体２の内部に真空包装されている。ここにいう真空包装は厳密な意味での真空状態を要求するものではなく、例えば、袋体２の内部が脱気されているものも含む。真空包装は市販の真空包装機、掃除機等で袋体内部の空気を吸引し、袋体２の開口部６を密封することにより行うことができる。開口部６の密封は袋体２のチャックを利用してもよいし、ヒートシール等で封着してもよい。包装体１においては、開口部６をヒートシールにより封着している（ヒートシール部１０）。
【００２４】
［３］本考案の包装体の形成方法：
本考案の包装体は、例えば以下のようにして形成することができる。
【００２５】
まず、袋体の内部に被包装体である被服、下着、衛生用品（生理用品、紙おむつ、マスク等）を挿入する。次に、真空包装機等を用いて、袋体内部を脱気し、空気を抜く。最後に、袋体の開口部をヒートシール等によって密封する。
【産業上の利用可能性】
【００２６】
本考案の包装体は、被包装物である繊維質製品の色が褪せたり、生地が劣化したりすることを有効に防止することができるため、過酷な環境である被災地に災害時の支援物資を輸送する際の包装体として好適に利用することができる。また、誰が触ったかわからないという不安感やそれを着用することへの心理的な抵抗感を減らすことができるため、女性用下着の包装体として特に好適に利用することができる。
【符号の説明】
【００２７】
１：包装体
２：袋体
４：被包装物
６：開口部
８：接合部
１０：ヒートシール部
【図１】
0003233070.tif 000003